(57)【特許請求の範囲】
【請求項１】
内部にアンテナが設けられた通信機本体と、
上記通信機本体の側方を覆う筒状壁を有し、該筒状壁の軸心周りに回転可能に設けられたカバーと、
上記カバーの筒状壁の内面または外面において、上記アンテナを間に置いて互いに対向する位置に取り付けられた導波器および反射器とを備えている
ことを特徴とする無線通信機。
【発明の詳細な説明】
【技術分野】
【０００１】
本願は、無線通信機に関する。
【背景技術】
【０００２】
例えば特許文献１に開示されているように、無線通信用のアンテナを備えた無線通信機が数多く知られている。
【先行技術文献】
【特許文献】
【０００３】
【特許文献１】特開２０１４−３９１０１号公報
【発明の概要】
【発明が解決しようとする課題】
【０００４】
ところで、上述したような無線通信機では、アンテナの指向方向を簡易な構成で変更できるようにしたいという要望があった。
【０００５】
本願に開示の技術は、かかる事情に鑑みてなされたものであり、その目的は、簡易な構成でアンテナの指向方向を任意に変更することができる無線通信機を提供することにある。
【課題を解決するための手段】
【０００６】
本願の無線通信機は、通信機本体と、カバーと、導波器および反射器とを備えている。上記通信機本体は、内部にアンテナが設けられている。上記カバーは、上記通信機本体の側方を覆う筒状壁を有し、該筒状壁の軸心周りに回転可能に設けられている。上記導波器および反射器は、上記カバーの筒状壁の内面または外面において、上記アンテナを間に置いて互いに対向する位置に取り付けられている。
【発明の効果】
【０００７】
本願の無線通信機によれば、通信機本体の側方を覆う筒状壁の内面または外面において、アンテナを間に置いて互いに対向する位置に導波器および反射器を取り付けるようにしたので、アンテナの指向特性を向上させることができる。つまり、アンテナによって放射される電波を一方向（アンテナから導波器へ向かう方向）に集中させることができる。これによって、アンテナから放射される電波を強くすることができる。
【０００８】
さらに、本願の無線通信機によれば、筒状壁を有するカバーを筒状壁の軸心周りに回転可能に構成した。そのため、カバーを回転させることにより、導波器、アンテナおよび反射器の順に配列されるその配列方向を変更することができる。これにより、アンテナの指向方向を任意に変更することができる。しかも、カバーを回転させるだけでよいため、簡易な構成でアンテナの指向方向を変更することができる。
【図面の簡単な説明】
【０００９】
【図１】図１は、実施形態に係るセンサ装置の概略構成を示す正面図である。
【図２】図２は、実施形態に係る無線通信機を側方から視て示す概略の断面図である。
【図３】図３は、実施形態に係る無線通信機を上方から視て示す概略の断面図である。
【００１０】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１１】
図１に示す本実施形態のセンサ装置１は、本願の請求項に係る無線通信機４が設けられているものである。センサ装置１は、測定対象物（例えば、スチームトラップ）に固定され、該測定対象物の温度や振動を検出する、いわゆる固定タイプのセンサである。センサ装置１は、上下方向に延びる状態で測定対象物に固定される。
【００１２】
センサ装置１は、センサ本体２と、接続軸３と、上述した無線通信機４とを備えている。接続軸３は、中空軸であり、両端がセンサ本体２と無線通信機４に連結されている。センサ装置１では、センサ本体２によって検出された測定対象物の温度等に関する信号が無線通信機４に送られる。
【００１３】
無線通信機４は、センサ本体２から送られた信号を処理して外部機器へ送信するものである。図２および図３に示すように、無線通信機４は、通信機本体１０と、カバー１５と、導波器１６（ディレクター）および反射器１７（リフレクター）とを備えている。
【００１４】
通信機本体１０は、上下方向に延びる円柱状に形成された容器の内部に、アンテナ１１を有している。なお、図示しないが、通信機本体１０の容器内には回路基板やバッテリー等も設けられている。アンテナ１１は、例えばダイポールアンテナであり、放射器（ラジエーター）を構成している。アンテナ１１は、上下方向に延びる棒状に形成されており、容器の中央に配置されている。
【００１５】
カバー１５は、通信機本体１０を覆うキャップ状の部材である。具体的に、カバー１５は、上下方向に延びる筒状壁１５ａと、該筒状壁１５ａの上側端部を閉塞する端部壁１５ｂとを有している。筒状壁１５ａは、通信機本体１０の容器の側方（側壁）を覆っている。
【００１６】
導波器１６および反射器１７は、アンテナ１１と同様、上下方向に延びる棒状に形成されている。導波器１６および反射器１７は、カバー１５の筒状壁１５ａの内面に取り付けられている。具体的に、導波器１６および反射器１７は、筒状壁１５ａの内面において、アンテナを間に置いて互いに対向する位置に設けられている。つまり、導波器１６および反射器１７は筒状壁１５ａの周方向において互いに１８０°ずれた位置に設けられている。なお、導波器１６および反射器１７は、筒状壁１５ａの内面ではなく外面に取り付けるようにしてもよいし、一方を筒状壁１５ａの内面に取り付け他方を外面に取り付けるようにしてもよい。
【００１７】
こうして、無線通信機４では、導波器１６、アンテナ１１および反射器１７がこの順に配列される。図２に示すように、導波器１６の長さはアンテナ１１よりも少し短く、反射器１７の長さはアンテナ１１よりも少し長い。また、導波器１６とアンテナ１１の距離と、反射器１７とアンテナ１１の距離とは同じである。つまり、アンテナ１１は導波器１６と反射器１７との中間に位置している。
【００１８】
さらに、無線通信機４では、図３に矢印で示すように、カバー１５が、筒状壁１５ａの軸心周りに回転可能に設けられている。無線通信機４では、カバー１５（筒状壁１５ａ）が回転することにより、導波器１６、アンテナ１１および反射器１７の配列方向が変化する。
【００１９】
以上のように、上記実施形態の無線通信機４によれば、通信機本体１０の側方を覆う筒状壁１５ａの内面において、アンテナ１１を間に置いて互いに対向する位置に導波器１６および反射器１７を取り付けるようにした。これにより、アンテナ１１の指向特性を向上させることができる。つまり、アンテナ１１によって放射される電波を一方向（即ち、アンテナ１１から導波器１６へ向かう方向）に集中させることができる。したがって、アンテナ１１から放射される電波を任意の方向に向けて強く飛ばすことができる。
【００２０】
さらに、上記実施形態の無線通信機４によれば、カバー１５をその筒状壁１５ａの軸心周りに回転可能に構成した。そのため、カバー１５を回転させることで、導波器１６、アンテナ１１および反射器１７の配列方向を変更することができる。これにより、アンテナ１１の指向方向を任意に変更することができる。しかも、カバー１５を回転させるだけでよいため、簡易な構成でアンテナ１１の指向方向を変更することができる。
【産業上の利用可能性】
【００２１】
本願に開示の技術は、無線通信機について有用である。
【符号の説明】
【００２２】
４        無線通信機
１０      通信機本体
１１      アンテナ
１５      カバー
１５ａ    筒状壁
１６      導波器
１７      反射器
【図１】
0006396810.tif 000002
【図２】
0006396810.tif 000003
【図３】
0006396810.tif 000004